(57)【要約】【課題】付勢手段を介して前後に分割したガラス保持枠の前後ガラス板との間の空間に埃や塵の侵入を防止すると共に、遊技盤面と後ガラス板との間の距離を一定に保つようにした遊技機を提供する。【解決手段】  遊技盤５の前面を覆うように前面枠８に設けられる透明板ユニット１１は、前後透明板１２Ａ，１２Ｂが窓口部１５を塞ぐように設けられる前後一対の環状の保持枠体１６Ａ，１６Ｂと、前後保持枠体１６Ａ，１６Ｂの間に位置して前後保持枠体１６Ａ,１６Ｂを離間する方向に付勢する付勢手段１７とを備え、前保持枠体１６Ａと後保持枠体１６Ｂの内面には互いに嵌合する凹溝３２及び凸条３３が周方向に設けられ、透明板ユニット１１は、前面枠８を閉じた状態で規制手段に当接し遊技盤と後透明板との間隔を一定に維持して凹溝３２及び凸条３３が互いに嵌合するようにした。【選択図】図５
2011045617.tif 000002
【特許請求の範囲】
【請求項１】
遊技盤を備えた内枠の前面に、該遊技盤の前面を覆う前後一対の透明板を備えた透明板ユニットが設けられる前面枠が開閉自在に設けられる遊技機であって、
前記透明板ユニットと対向する内枠又は遊技盤に、前記前面枠を閉鎖した時に前記透明板ユニットの後面に当接し、前記遊技盤と前記後透明板との間隔を一定に維持する規制手段を設け、
前記透明板ユニットは、所定の大きさの窓口部を有し該窓口部を塞ぐように前後透明板が設けられる前後一対の環状の保持枠体と、
前記前保持枠体と後保持枠体の間に位置し該前後保持枠体を離間する方向に付勢する付勢手段とを備え、
前記前保持枠体と後保持枠体の対向する内面には、互いに嵌合する凹溝及び凸条が周方向に設けられ、
前記透明板ユニットは、前記前保持枠体が前記前面枠に固定されて、前記後保持枠体が前記付勢手段を介して前後方向に進退自在に設けられ、前記前面枠を閉じた状態で前記規制手段に当接し前記遊技盤と前記後透明板との間隔を一定に維持して前記凹溝及び凸条が互いに嵌合することを特徴とする遊技機。
【請求項２】
前記凹溝及び凸条は前記窓口部に沿って環状に設けられる請求項１記載の遊技機。
【請求項３】
前記前面枠を開放した状態で前記凸条が前記凹溝に嵌り込むようにした請求項１又は２記載の遊技機。
【請求項４】
前記後保持枠体の後面側には前記後透明板が取付けられる取付段部が設けられる請求項１乃至３のいずれかに記載の遊技機。
【請求項５】
前記取付段部は前記後透明板の後面と後保持枠体の後端面とが略同一面となる段差を備えた請求項４記載の遊技機。
【発明の詳細な説明】
【技術分野】
【０００１】
本発明は、遊技機に関し、特に遊技盤の前面を覆う透明板ユニットを備えた遊技機に関するものである。
【背景技術】
【０００２】
従来、遊技機の一種であるぱちんこ機には、遊技盤を備えた内枠の前面部に前面枠が開閉自在に配置され、前面枠には遊技盤の前面を覆うガラス板が保持枠を介して設けられている。そして、前面枠を閉じた状態では、遊技盤の前面とガラス板との間には所定の距離を有する空間が形成され、発射手段により遊技盤の遊技領域に発射された遊技球は、遊技盤とガラス板との間の空間内を釘等に衝突しながら落下する。しかし、遊技盤の前面とガラス板との間の空間は、ガラス保持枠の前面枠への取付け精度や、遊技盤の前面枠への取り付け精度等に依存しており、前面枠の開閉の繰返しによりガラス保持枠の取付けガタが大きくなると、遊技盤の前面とガラス板との間の距離が変化し、これによって例えば遊技球の落下や遊技部品の動作に悪影響を及ぼしたり釘や遊技部品の箇所で球詰まりが発生しやすくなったりするなどの不具合を生じることがあった。
【０００３】
そこで、遊技盤の前面とガラス板との間の距離を一定とするために、開閉扉（前面枠）に対してガラス扉枠を弾性部材を介して設けるようにした遊技機が提案されている（特許文献１参照）。
【０００４】
また、ガラス保持枠を第一の透明板を保持する第一の保持枠と、第二の透明板を保持する第二の保持枠とに二分割して、透明板をそれぞれ離間する方向へと付勢する付勢手段を備え、遊技盤の前面とガラス板との間の距離を一定とするようにした遊技機が提案されている（特許文献２参照）。
【先行技術文献】
【特許文献】
【０００５】
【特許文献１】特開２００２−２２４３７２号公報
【特許文献２】特開２００９−７２５６７号公報
【発明の概要】
【発明が解決しようとする課題】
【０００６】
しかしながら、特許文献１に記載の遊技機にあっては、遊技盤の前面とガラス板との間の距離を一定とすることができるものの、前面枠に対してガラス保持枠を弾性部材を介して設けるようにしているため、前面枠とガラス保持枠との間に隙間が生じ、不正遊技者によって針金などをこの隙間に挿入して不正行為（ゴト行為）などが行われることがある。
【０００７】
また、特許文献２に記載の遊技機にあっては、透明板の当接位置によってガラス保持枠が傾きやすく、遊技盤の前面とガラス板との間の距離が一定とならず、球詰まりが発生する虞がある。さらに、第一の保持枠に第二の保持枠が嵌っている構造であるため、第一の保持枠と第二の保持枠との隙間からガラス板とガラス板との間の空間に埃や塵が入り易い構造となっている。このため、埃や塵により遊技盤の視認性を損ね遊技機の見栄えが悪くなるという問題がある。さらに、ガラス板を保持枠の内面に接着するようにしているため、ガラス板の後面と保持体の後端面とが同一面とはならず、ガラス保持枠全体の厚みがどうしても厚くなり、ガラス保持枠をコンパクト化することができない問題がある。また、ガラス板が押されるとガラス板が外れる方向に負荷がかかるので、ガラス板の接着状態によってはガラス板が外れてしまうという問題がある。
【０００８】
本発明は、上記課題に鑑みてなされたものであり、付勢手段を介して前後に分割したガラス保持枠のガラス板とガラス板との間の空間に埃や塵の侵入を防止すると共に、遊技盤面とガラス板との間の距離を一定に保つようにした遊技機を提供することにある。
【課題を解決するための手段】
【０００９】
上記目的を達成するために、本発明は、遊技盤を備えた内枠の前面に、該遊技盤の前面を覆う前後一対の透明板を備えた透明板ユニットが設けられる前面枠が開閉自在に設けられる遊技機であって、前記透明板ユニットと対向する内枠又は遊技盤に、前記透明板ユニット前記前面枠を閉鎖した時に前記透明板ユニットの後面に当接し、前記遊技盤と前記後透明板との間隔を一定に維持する規制手段を設け、前記透明板ユニットは、所定の大きさの窓口部を有し該窓口部を塞ぐように前後透明板（ガラス板，合成樹脂板）が設けられる前後一対の環状の保持枠体と、前記前保持枠体と後保持枠体の間に位置し該前後保持枠体を離間する方向に付勢する付勢手段とを備え、前記前保持枠体と後保持枠体の対向する内面には互いに嵌合する凹溝及び凸条が周方向に設けられ、前記透明板ユニットは、前記前保持枠体が前記前面枠に固定されて、前記後保持枠体が前記付勢手段を介して前後方向に進退自在に設けられ、前記前面枠を閉じた状態で前記規制手段に当接し前記遊技盤と前記後透明板との間隔を一定に維持して前記凹溝及び凸条が互いに嵌合することを特徴とする
【００１０】
上記構成により、後保持枠体は前保持枠体（前面枠）に対して前記付勢手段を介して前後方向に進退自在に設けられ、凹溝と凸条との嵌合により前後透明板間の隙間空間に埃や塵が入り込むのを防止した状態で、規制手段により遊技盤と後透明板との間隔を一定に維持することができる。また、前保持枠体を前面枠に固定することで、前面枠とガラス保持枠との間に隙間が生じることがなく、不正遊技者によって針金などを前面枠とガラス保持枠との間に挿入して行われる不正行為（ゴト行為）などを防止することができる。
【００１１】
また、前記凹溝及び凸条は前記窓口部に沿って環状に設けた。これにより、前後保持枠体のずれをなくすとともに、前後透明板間に埃や塵が入り込むのを確実に防止することができる。
【００１２】
前記前面枠を開放した状態で前記凸条が前記凹溝に嵌り込むようにした。これにより、前面枠を開放した状態でも、前後透明板間に埃や塵が入り込むのを防止することができる。
【００１３】
また、前記後保持枠体の後面側には前記後透明板が当接して取付けられる取付段部が設けられる。これにより、後透明板に前方に向かう外力が働いても透明板が取付段部に支持されているので、後透明板が後保持枠体から外れることはない。したがって、規制手段を透明板に接触（当接）させても同様に後保持枠体を一緒に可動させることができる。
【００１４】
また、前記取付段部は前記後透明板の後面と後保持枠体の後端面とが略同一面となる段差を備えた。これにより、透明板ユニットを最薄化できコンパクト化することができる。
【発明の効果】
【００１５】
本発明によれば、複層ガラスを前後に分離して、前面枠に対して後保持枠体を進退自在に設けることにより盤面とガラス板との距離を一定に保つことができ、前保持枠体と後保持枠体の対向する内面に設けた凹溝及び凸条を互いに嵌合させることでガラス板とガラス板との間の空間に埃や塵が入ることがなく、遊技盤の視認性を損なうことなく遊技を楽しむことができる。
【図面の簡単な説明】
【００１６】
【図１】ぱちんこ機の正面図である。
【図２】前面枠を開放したぱちんこ機の斜視図である。
【図３】（ａ）は透明板ユニットの分解斜視図であり、（ｂ）は（ａ）の要部拡大斜視図である。
【図４】ぱちんこ機の要部断面図である。
【図５】前面枠を開放したぱちんこ機の要部断面図である。
【図６】（ａ）〜（ｃ）は透明板ユニットの取付説明図である。
【図７】透明板ユニットの取付状態を示すぱちんこ機の要部断面図である。
【図８】（ａ），（ｂ）は付勢手段の他の実施例を示す説明図である。
【発明を実施するための形態】
【００１７】
以下に、この発明を実施するための最良の形態について図面を参照して説明する。遊技機としてのぱちんこ機１は、図１及び図２に示すように、そのぱちんこ機１の外郭を形成する額縁状の外枠２を備え、その外枠２に対して、前面側に遊技盤５が装着される内枠３が開閉自在に支持されている。また、内枠３の前面にその内枠３の横幅寸法と略同じ横幅寸法を有するように構成され、遊技盤５を視認し得る窓部７を備えた前面枠８がヒンジにより開閉自在に設けられ、前面枠８には遊技盤５の前面を覆う前後一対の透明板（ガラス板１２Ａ，１２Ｂ）を有する透明板ユニット１１が取り付けられている。そして、その前面枠８の下方前面に遊技球を貯留し、貯留した遊技球を整流して発射装置６に遊技球を供給する球受皿９が設けられている。また、この球受皿９の右下側に遊技球の発射力を調節する発射ハンドル１０が設けられている。
【００１８】
なお、本明細書において、ぱちんこ機１における上下方向とは遊技盤５の盤面に沿う態様で遊技領域５ａを遊技球が流下する方向（鉛直方向）を意味する。また、左右方向とは遊技盤５の盤面に沿う態様で上下方向に交差（直交）する方向（水平方向）を意味し、遊技者側からみて左側、右側をいう。また、前後方向とは遊技盤５の盤面に交差（直交）する方向（水平方向）を意味し、遊技盤５の遊技者側が前側であり、遊技盤５の奥側（遊技領域５ａの反対側）が後側である。
【００１９】
遊技盤５は、略方形状に形成され、盤面（前面）には、図１及び図２に示すようにガイドレール４によって全体として略円形に区画された遊技領域５ａが形成されている。遊技領域５ａの中央には飾り枠１８ａに液晶表示部を備えた表示装置１８が搭載され、表示装置１８の下方（遊技領域５ａの中央下部）には入賞により液晶表示部を変動表示させる電動チューリップ（電チュー）にて構成される始動口２０が配置されている。また、始動口２０の下方には電気的駆動源により扉が開閉する大入賞口１９（アタッカー）が配置され、遊技領域５ａの最下部にアウト口２１が設けられている。そして、ガイドレール４より外側（遊技領域外）のコーナー部には装飾体１３が設けられ、透明板ユニット１１が当接するリブ状の当接部１４が形成されている。装飾体１３にはＬＥＤ等の発光手段や証紙等の情報表示部が設けられる。なお、この装飾体１３は内枠３に設けられていてもよい。
【００２０】
前面枠８の背面側には、図２に示すように窓部７に対応して透明板ユニット１１が取り付けられている。前面枠８の背面には、透明板ユニット１１を取付ける係合部２２が窓部７の斜め左右上下外側に４個所設けられ、窓部７の上部に位置してレバー状の係止具２３が回動自在に設けられている。係合部２２は、上方が拡開し窓部７側（内側）が開放した袋状に形成されている。また、係止具２３は、前面枠８の背面に設けられる支持軸２５に嵌合する軸筒部２６の一側に操作部２７（レバー部）が突設されており、支持軸２５に軸筒部２６を嵌合し支持軸２５より大径な座金ビス２８を螺締することで係止具２３が抜け止めされ、前面枠８に対して回動可能に取り付けられる。
【００２１】
透明板ユニット１１は、図３に示すように所定の大きさ（遊技領域５ａより大）の窓口部１５を有する前後一対の樹脂製の環状保持枠体１６（前保持枠体１６Ａ，後保持枠体１６Ｂ）と、前保持枠体１６Ａと後保持枠体１６Ｂのそれぞれに窓口部１５を塞ぐように設けられる（接着される）前後ガラス板１２Ａ，１２Ｂと、前保持枠体１６Ａと後保持枠体１６Ｂの間に該前後保持枠体１６Ａ，１６Ｂを離間する方向に付勢する圧縮ばね１７（付勢手段）とで大略構成されている。そして、前後ガラス板１２Ａ，１２Ｂ間に所定の間隔を有する隙間空間Ｓが形成される。
【００２２】
前保持枠体１６Ａと後保持枠体１６Ｂのそれぞれは、窓口部１５が両側を直線状として上下部が曲線状となる略長円形状をしており、上下コーナー部には略三角形の支持片部３０が設けられ、全体形状として提灯型をしている。そして、その支持片部３０間には、前後保持枠体１６Ａ，１６Ｂを離間する方向に付勢する圧縮ばね１７を備えている。
【００２３】
前保持枠体１６Ａの前面側及び後保持枠体１６Ｂの後面側には、前後ガラス板１２Ａ，１２Ｂをそれぞれ嵌め込み当接させる取付段部３１が窓口部１５に沿って周設されている。この取付段部３１は、前後ガラス板１２Ａ，１２Ｂを当接させて接着剤（ホットメルト系接着剤）で接着したときに、前ガラス板１２Ａの前面は前保持枠体１６Ａの前端面と，後ガラス板１２Ｂの後面は後保持枠体１６Ｂの後端面と同一面または隙間空間Ｓ側に僅かに入り込むように取付段部３１の段差Ｈが形成されている。なお、取付段部３１は、詳しくは図４に示すようにリブにより接着剤が充填される浅い溝部が形成されており、前後ガラス板１２Ａ，１２Ｂが直接当接しない部位がある。さらに、前保持枠体１６Ａと後保持枠体１６Ｂのそれぞれ取付段部３１の隙間空間Ｓ側に対向する内面に、互いに嵌合する凹溝３２及び凸条３３が窓口部１５に沿って周方向に設けられている。実施例では図４に示すように前保持枠体１６Ａに断面すり鉢形状の凹溝３２が環状に形成され、後保持枠体１６Ｂに凹溝３２に対応して断面等脚台形状の凸条３３が環状に形成されている。具体的には、凹溝３２は、前ガラス板１２Ａと平行に形成される底面と、底面の両側端から後方に向かって緩やかに拡開傾斜する一対の傾斜面とで逆等脚台形状に形成される。このように凹溝３２及び凸条３３が形成されることで、凸条３３が凹溝３２の傾斜面にガイドされながら確実に嵌合する。
【００２４】
また、前保持枠体１６Ａの支持片部３０の側方に透明板ユニット１１を前面枠８裏面に取付けるための係止片３５が突出形成されている。係止片３５の周縁には下方に向って漸次低くなるリブ３５ａが設けられ、係止片３５の補強を兼ねると共に係合部２２に上方から挿入しやすいようになっている。
【００２５】
また、前後保持枠体１６Ａ，１６Ｂの支持片部３０の対向面に、後保持枠体１６Ｂを所定の範囲内で前後方向への移動を規制する軸部３６と筒部３７が設けられている。実施例では図３（ｂ）に示すように前保持枠体１６Ａに軸部３６が形成され、後保持枠体１６Ｂに筒部３７が形成され、軸部３６が筒部３７より長く形成されている。そして、その周囲に環状溝３８が形成され、この環状溝３８に圧縮ばね１７が収納される。
【００２６】
前後保持枠体１６Ａ，１６Ｂへの前後ガラス板１２Ａ，１２Ｂの取付けは、前保持枠体１６Ａの前方（後保持枠体１６Ｂの後方）から取付段部３１に接着剤を塗布して前後ガラス板１２Ａ，１２Ｂを取付段部３１に当接させて接着固定する。このように前後保持枠体１６Ａ，１６Ｂに対して外方から前後ガラス板１２Ａ，１２Ｂを取付けるようにすることで、前後ガラス板１２Ａ，１２Ｂに隙間空間Ｓに向けて負荷（外力）が掛ったとしても、前後ガラス板１２Ａ，１２Ｂが取付段部３１に支持されているため前保持枠体１６Ａ（後保持枠体１６Ｂ）が押され前ガラス板１２Ａ（後ガラス板１２Ｂ）とともに動くことになる。したがって、前後ガラス板１２Ａ，１２Ｂに外力が加わったとしても、前後ガラス板１２Ａ，１２Ｂが前保持枠体１６Ａ（後保持枠体１６Ｂ）から外れるようなことはない。
【００２７】
透明板ユニット１１の組付けは、前保持枠体１６Ａの四ヶ所の環状溝３８に圧縮ばね１７を収納（載置）し、後保持枠体１６Ｂを筒部３７が前保持枠体１６Ａの軸部３６に挿入されるように位置合わせする。そして、後保持枠体１６Ｂの後面側から軸部３６より大径の座付きビス３９を軸部３６に螺締めすることで、前後ガラス板１２Ａ，１２Ｂ間に隙間空間Ｓが形成され、後保持枠体１６Ｂが進退自在な状態で透明板ユニット１１が組付けられる。このとき、後保持枠体１６Ｂが進退自在に移動し得る範囲は凸条３３の高さより小さく設定されており、凸条３３は常に凹溝３２に入り込んだ状態にある。このように凸条３３が凹溝３２と嵌り込むことで、隙間空間Ｓに外部から塵や埃が入らないようにすることができる。
【００２８】
次に、透明板ユニット１１を前面枠８に取付けるには、係止具２３をほぼ水平とした状態で、透明板ユニット１１の係止片３５を前面枠８の背面に設けた係合部２２の上方に位置させ、透明板ユニット１１を前面枠８の背面から窓口部１５に合わせる（図６（ａ）参照）。そして、この位置から透明板ユニット１１を前面枠８の背面に沿って下方に移動させ、係止片３５を係合部２２の袋状溝に支持させ、透明板ユニット１１が前面枠８の背面に保持される（図６（ｂ）参照）。次に、係止具２３を時計回りに９０度回動して操作部の先端が透明板ユニット１１の上面と近接して対向位置させる（図６（ｃ）及び図７参照）。これにより、透明板ユニット１１の上動が阻止され、係止片３５が係合部２２から外れることはなく、透明板ユニット１１は前面枠８に確実に保持される。このように、一つの係止具２３を操作するだけで透明板ユニット１１を固定保持できるので、組み付けの作業性が向上する。このとき、透明板ユニット１１は、前保持枠体１６Ａの係止片３５が前面枠８に固定されて取付けられているので、後保持枠体１６Ｂは図５に示すように圧縮ばね１７により後方に付勢され座付きビス３９に規制されており、圧縮ばね１７の付勢により前後ガラス板１２Ａ，１２Ｂ間が拡開した最後位置にある。そして、後保持枠体１６Ｂが前面枠８に対して進退自在な状態となっている。このときも、凸条３３の先端部は凹溝３２に入り込んだ状態にあり、前後ガラス板１２Ａ，１２Ｂ間の隙間空間Ｓに埃・塵が入り込むことはない。また、前面枠８と前保持枠体１６Ａとが密着しているため、前面枠８と前保持枠体１６Ａとの間から針金等の異物を挿入する悪戯を防止することができる。
【００２９】
また、透明板ユニット１１を外す際には、係止具２３を反時計回りに９０度回動して係止状態を解除し、この状態から透明板ユニット１１を上動させて係止片３５と係合部２２との係合を解除することで透明板ユニット１１を簡単に取り外すことができる。なお、実施例では係止具２３を操作した際に操作部２７の先端部が透明板ユニット１０の上面と近接して対向位置させるようにしたが、操作時に先端部を透明板ユニット１１の上面と接触させて透明板ユニット１１を係合保持するようにしてもよい。また、係止具２３を透明板ユニット１１の下方に設け、透明板ユニット１１の下方に設けた係止部に係止（掛止）して透明板ユニット１１の外れ移動を阻止するようにしてもよい。つまり、係止具２３によって透明板ユニット１１の外れる方向（係合方向と逆方向）への移動を阻止するようにすればよい。
【００３０】
このように、透明板ユニット１１を前面枠８に取付けた状態で、前面枠８を内枠３に対して閉じようとすると、後保持枠体１６Ｂの支持片部３０が装飾体１３の当接部１４に当接し、後保持枠体１６Ｂが規制された状態となり、図４に示すように後保持枠体１６Ｂを圧縮ばね１７の付勢に抗して前方に押され、後保持枠体１６Ｂと前保持枠体１６Ａとの間隔が狭まって前面枠８が閉じられる。このとき、透明板ユニット１１は後保持枠体１６Ｂの筒部３７が前保持枠体１６Ａの軸部３６と貫挿されていることにより、後保持枠体１６Ｂは軸部３６に案内され常に後ガラス板１２Ｂが平行状態を保持するように移動する。そして、凸条３３が凹溝３２にガイドされながら嵌合して、前後ガラス板１２Ａ，１２Ｂ間内に塵や埃が入らない状態で、遊技盤５面と後ガラス板１２Ｂとの間隔Ｄは一定となる。したがって、前面枠８にガタつきがあっても遊技盤５面と後ガラス板１２Ｂとの間隔Ｄは常に一定となり、遊技領域５ａ内で球噛み・球詰まりを発生させることはない。つまり、遊技者が前面枠８を手前に引っ張って遊技盤５面と後ガラス板１２Ｂとの間隔をわざと広げて遊技球を団子状に詰まらせて入賞口に入賞させる不正行為を防止することができる。また、隙間空間Ｓに塵や埃が入らないため遊技盤５の視認性を損なうこともない。
【００３１】
なお、保持枠体１６Ｂの後面と後ガラス板１２Ｂの後面とは略同一面となっているため、装飾体１３に後ガラス板１２Ｂを直接当接させるようにしても遊技盤５面と後ガラス板１２Ｂとの間隔Ｄは常に一定となる。このことから、例えば遊技領域５ａに設けられる表示装置１８の飾り枠１８ａを遊技盤５面から間隔Ｄと同じ高さ突出させ、表示装置１８を規制手段として表示装置１８の飾り枠１８ａに後ガラス板１２Ｂを当接させ、遊技盤５面と後ガラス板１２Ｂとの間隔Ｄを一定に保持させるようにしてもよい。
【００３２】
また、実施例では付勢手段をコイル状の圧縮ばね１７としたが、板ばねを使用してもよい。さらに、付勢手段として圧縮ばね１７の代わりに、弾力性を有するウレタン等のエラストマーを使用してもよく、凹溝３２に配設してもよい。具体的には、図８に示すように凹溝３２内にエラストマーＥを装填（配設）し、前面枠８を開放した状態で、凸条３３が凹溝３２に嵌り込みエラストマーＥに接触した状態にある（図８（ａ）参照）。そして、前面枠８を閉じた状態で凹溝３２及び凸条３３が互いに嵌合し、その際に凸条３３がエラストマーＥを押圧し、エラストマーＥが弾性により圧縮変形する（図８（ｂ）参照）。このように、凹溝３２内にエラストマーＥを装填することで、複数個使用する圧縮ばね１７が不要となり部品点数を減らすことができ、透明板ユニット１１の組み立ての作業性が向上する。また、エラストマーＥが環状に設けられることで前後保持枠１６Ａ，１６Ｂの密着性が増して、前後ガラス板１２Ａ，１２Ｂ間の隙間空間Ｓに埃・塵が入り込むことを確実に防止することができる。当然のことながら、支持片部３０間と凹溝３２の両方にエラストマーＥを併設するようにしてもよい。
【００３３】
なお、上記実施例において、遊技機としてぱちんこ機を例に説明したが、雀球遊技機，アレンジボール式遊技機、さらに回胴式又は画像式のスロット遊技機等にも本発明を適用することができる。また、実施例に示した内容に限定されるものではなく、この発明の要旨を逸脱しない範囲で、種々の形態を実施し得るものである。
【符号の説明】
【００３４】
１        ぱちんこ機（遊技機）
３        内枠
５        遊技盤
８        前面枠
９        ガラス板（透明板）
１１      透明板ユニット
１２Ａ    前ガラス板（前透明板）
１２Ｂ    後ガラス板（後透明板）
１３      装飾体（規制手段）
１５      窓口部
１６      環状保持枠体
１６Ａ    前保持枠体
１６Ｂ    後保持枠体
１７      圧縮ばね（付勢手段）
１８      表示装置（規制手段）
２２      係止部（固定手段）
２３      係止具
３１      取付段部
３２      凹溝
３３      凸条
３５      係止片（固定手段）
Ｄ        間隔
Ｅ        エラストマー（付勢手段）
Ｈ        段差
Ｓ        隙間空間
【図１】
2011045617.tif 000003
【図２】
2011045617.tif 000004
【図３】
2011045617.tif 000005
【図４】
2011045617.tif 000006
【図５】
2011045617.tif 000007
【図６】
2011045617.tif 000008
【図７】
2011045617.tif 000009
【図８】
2011045617.tif 000010